(57)【要約】      （修正有）【課題】ゴルフ用パターヘッドに、所定の加工品を組み合わせる事により、装飾性と実用性を兼ね備え、これまでに無いデザイン感覚を現出したゴルフ用パターヘッドを提供する。【解決手段】ゴルフ用パターヘッド４のクラウン面６に凹溝５を形成した通常のゴルフ用パターヘッドにおいて、凹溝にパターヘッドとは別に作られた加工品７を組付けたゴルフ用パターヘッドであり、加工品を組付ける方法としては、接着や溶着、圧入やネジ止め、バネ止めにより固定される。【選択図】図３
0003183146.tif 000002
【実用新案登録請求の範囲】
【請求項１】
パターヘッドのクラウン表面に凹溝が形成されたパターヘッドにおいて、当該パターヘッドのクラウン凹溝に、所定の加工品を取り付け可能としたことを特徴とするゴルフ用パターヘッド。
【請求項２】
前記凹溝について、その形状、深さ、本数は特に定めないことを特徴とする請求項１に記載のゴルフ用パターヘッド。
【請求項３】
前記加工品は、ゴルフ用パターヘッドとは別に作られたことを特徴とする請求項１に記載のゴルフ用パターヘッド。
【請求項４】
前記加工品としては、木材並びにその加工品、竹材並びにその加工品、金属並びにその加工品、石や鉱物並びにその加工品、ガラス並びにその加工品、陶磁器並びにその加工品、布や織物並びにその加工品、紙並びにその加工品、皮革並びにその加工品、樹脂並びにその加工品等、または前述の素材を組み合わせた加工品であることを特徴とする請求項１に記載のゴルフ用パターヘッド。
【請求項５】
前記加工品を取り付ける手段として、接着や溶着や圧入やネジ等による固定やバネによる固定を特徴とする請求項１に記載のゴルフ用パターヘッド。
【請求項６】
前記加工品において、他のクラブとの接触等から生じる傷、凹み、剥がれ等を防止する手段として、ウレタンを用いたコーティングを施したものを組み合わせたことを特徴とする請求項１に記載のゴルフ用パターヘッド
【請求項７】
前記加工品は、パッティング時にストロークやパッティング方向を表す平面あるいは立体的な装飾を施す事により、パッティング技術の向上を図る事を特徴とする請求項１に記載のゴルフ用パターヘッド。
【請求項８】
前記加工品の、重量を変えることにより、ゴルフ用パターヘッドの重量及び重心の調整を可能にすることを特徴とした請求項１に記載のゴルフ用パターヘッド。
【考案の詳細な説明】
【技術分野】
【０００１】本考案は、ゴルフ用パターヘッドに、所定の加工品を組み合わせる事により、装飾性と実用性を兼ね備えた、これまでに無いデザイン感覚を現出したゴルフ用パターヘッドに関するものである。
【背景技術】
【０００２】従来の、パター用ヘッドの素材としては、鉄やアルミニウムやステンレスなどが主流であり、比重の軽さや低硬度アルミニウム合金によるソフトフィーリングによる性能や機能面がプレイヤーに好まれてきた。また、Ｒ＆Ａ（登録商標）（Ｒｏｙａｌａｎｄ  Ａｎｃｉｅｎｔ  Ｇｏｌｆ  Ｃｌｕｂ  ｏｆ  Ｓａｉｎｔ  Ａｎｄｒｅｗｓ）でのヘッド形状に関する規則では、他のドライバーやアイアンなどのヘッドと比較した場合、パターヘッドは最もデザイン面での基準が制限されていないにも関わらず、現行品の多くは単色のものが主流であり、ヘッドに複雑な模様やカラーリングや象嵌などの、実用面も含め装飾を施したようなもの、は見られなかった。従来、装飾といえば、塗料による塗装、模様やマークの塗装、マーキングのための刻印や宝石等の埋め込み装飾が行われているだけである。（例えば、特許文献１を参照）
【先行技術文献】
【特許文献１】実用新案登録第３０８８１３３号
【考案の概要】
【考案が解決しようとする課題】
【０００３】以上に述べた従来のパターヘッドは、パターヘッドに任意の形状に区画形成し、ペイント、着色チップ等により、使用者の好みに適合する色彩を施したパターヘッドを提供するための開示であるが、彩色ポイントに於ける彩色にあたり、ストローク指示を表す彩色を施すことによりパッティングストローク技術の向上を図ることも可能である。ところが、このような軽量のペイントや着色チップを施すものでは、パッティングストローク時の目安にはなるものの、打球の直進性やクラブの操作性を向上させるには至っておらず、ここに本考案が解決せんとする課題がある。
【課題を解決するための手段】
【０００４】本考案は、上記の如き実情に鑑みこの課題を解決することを目的として創作されたものであり、実施様態１の考案は、パターヘッドのクラウン表面に凹溝が形成されたパターヘッドにおいて、当該パターヘッドのクラウン凹溝に、所定の加工品を組み合わせたことを特徴とするゴルフ用パターヘッドである。実施様態２の考案は、前記凹溝について、その形状、深さ、本数は特に定めないことを特徴とする実施様態１に記載のゴルフ用パターヘッドである。実施様態３の考案は、前記に挙げる所定の加工品は、ゴルフ用パターヘッドとは別に作られたことを特徴とする実施様態１に記載のゴルフ用パターヘッドである。実施様態４の考案は、前記加工品としては、木材並びにその加工品、竹材並びにその加工品、金属並びにその加工品、石や鉱物並びにその加工品、ガラス並びにその加工品、陶磁器並びにその加工品、布や織物並びにその加工品、紙並びにその加工品、皮革並びにその加工品、樹脂並びにその加工品等、または前述の素材を組み合わせた加工品であることを特徴とする実施様態１に記載のゴルフ用パターヘッドである。実施様態５の考案は、前記加工品を取り付ける手段として、接着や溶着や圧入やネジ等による固定やバネによる固定を特徴とする実施様態１に記載のゴルフ用パターヘッドである。実施様態６の考案は、前記加工品において、他のクラブとの接触等から生じる傷、凹み、剥がれ等を防止する手段として、ウレタンを用いたコーティングを施したものを組み合わせたことを特徴とする実施様態１に記載のゴルフ用パターヘッドである。実施様態７の考案は、前記加工品は、パッティング時にストロークやパッティング方向を表す平面あるいは立体的な装飾を施す事により、パッティング技術の向上を図る事を特徴とする実施様態１に記載のゴルフ用パターヘッドである。実施様態８の考案は、前記加工品の、重量を変えることにより、ゴルフ用パターヘッドの重量及び重心を調整することを可能にすることを特徴とした実施様態１に記載のゴルフ用パターヘッドである。
【考案の効果】
【０００５】実施様態１の考案をすることで、パターヘッドに凹溝を形成することにより、ペイントや着色チップなど軽量なものに制限されない立体的かつ重量のある加工品の装着が可能になる。実施様態２の考案をすることで、加工品のデザイン、数量、厚みなどに制限されない、従来には無かったデザイン性や遊び心を備えた加工品を装着することが可能になる。実施様態３の考案をすることで、これまでゴルフクラブとは縁の浅かった伝統工芸品などをパターヘッドに装着することが可能になる。実施様態４の考案をすることで、装着する加工品のデザイン、数量、厚み、重量など選択のアイデアを幅を広く持つことが可能になる。実施様態５の考案をすることで、素材の異なるパターヘッドと所定の加工品の固定を安定したものにすることが可能になる。実施様態６の考案をすることで、接触や衝撃に弱いとされていた加工品においてもウレタンのコーティングを施す事により、プレー中やキャディバック内での接触に耐えられ、長期間使用しても色落ち、変形、剥がれなどが生じなくなる。実施様態７の考案をすることで、装着する加工品において、立体的な装飾を施す事によりパッティング技術の向上を図る事が可能になる。実施様態８の考案をすることで、装着する加工品の重量に従って、重量のある素材であれば直進性の向上、軽量の加工品であれば操作性の向上を実現したパター用ヘッドを提供する事が可能になる。
【図面の簡単な説明】
【０００６】
【図１】本考案のゴルフパターを示す概略図
【図２】本考案のゴルフ用パターヘッドの平面図
【図３】本考案の実施例を示す、ゴルフ用パターヘッドの断面図
【図４】本考案の実施例を示す、ゴルフ用パターヘッドの平面図
【考案を実施するための形態】
【０００７】以下、本考案を実施するための一形態について説明する。図１は、本考案が実施されたゴルフパタークラブ１であって、当該ゴルフパターを構成する中空状のシャフト２の先端にはパターヘッド４が設けられ、基端にはグリップ３が設けられている。
【０００８】図２では、パターヘッド４に設けられたクラウン凹溝５により、ペイントや着色チップなど軽量なものに制限されない立体的かつ重量のある加工品の装着が可能になり、加工品のデザイン、数量、厚みなどに制限されない、従来には無かったデザイン性や遊び心を備えた加工品を組付けることが可能になる。
【０００９】図３の組付ける加工品７は、前述の所定の加工品であり、木材並びにその加工品、竹材並びにその加工品、金属並びにその加工品、石や鉱物並びにその加工品、ガラス並びにその加工品、陶磁器並びにその加工品、布や織物並びにその加工品、紙並びにその加工品、皮革並びにその加工品、樹脂並びにその加工品等、または前述の素材を組み合わせた加工品による。なお、図は省略しているが、これらの加工品は、接着や溶着や圧入やネジ等により固定し、あるいは、バネにより固定するものである。
【００１０】また、図は省略してあるが、これら所定の加工品については、ウレタンコーティングを施す事により、プレー中やキャディバック内での接触に耐えられ、長期間使用しても色落ち、変形、剥がれなどが生じなくすることが出来る。
【００１１】さらに、図は省略してあるが、加工品７においては、ストローク時にパッティング方向を表す平面あるいは立体的な装飾を施す事により、パッティング技術の向上を図る事も可能になる。
【００１２】図４では、パターヘッド４にクラウン凹溝５を形成することにより、ペイントや着色チップなど軽量なものに制限されない立体的かつ重量のある加工品の装着が可能になる。
【００１３】なお、本考案は、前記実施の形態に限定されないことは勿論であって、要するにコーティング塗料は、ウレタンに限らず加工品７を衝撃や接触から保護出来れば良く、また、加工品そのものも、図２のクラウン凹溝５に収まれば良いのであって、前述の加工品以外であっても構わない。
【符号の説明】
【００１４】    １  ゴルフパター    ２  シャフト    ３  グリップ    ４  パターヘッド    ５  クラウン凹溝    ６  クラウン    ７  組付ける加工品
【図１】
0003183146.tif 000003
【図２】
0003183146.tif 000004
【図３】
0003183146.tif 000005
【図４】
0003183146.tif 000006